【手続補正書】
【提出日】令和3年2月5日(2021.2.5)
【手続補正１】
【補正対象書類名】特許請求の範囲
【補正対象項目名】全文
【補正方法】変更
【補正の内容】
【特許請求の範囲】
【請求項１】
コンピュータにより実行される方法であって、
行われるトレーニングの種類であって、複数のトレーニング属性に関連付けられたトレーニングの種類の識別を受信することと、
前記トレーニングの種類に対するゴールであって、前記複数のトレーニング属性の第１のトレーニング属性の識別及び前記第１のトレーニング属性に対するゴール値を含むゴールを受信することと、
選択された前記トレーニングの種別についてのトレーニング・セッションを開始する指示を示すユーザ入力を受信することと、
前記ユーザ入力を受信したことに応じて、
前記選択されたトレーニングの種別についての前記トレーニング・セッションを開始することと、
前記選択されたトレーニングのためのトレーニング・インターフェイスを表示することであって、
前記第１のトレーニング属性の現在値及び前記複数のトレーニング属性の第２のトレーニング属性の現在値を、１つ以上の活動センサからの活動データに基づいて決定することと、
前記第１のトレーニング属性の前記ゴール値に対する、前記第１のトレーニング属性の前記現在値を示す先端部と共に第１のインジケータを表示することであって、前記先端部は、前記第１のトレーニング属性の前記現在値が前記ゴール値を超える量と関連する、前記第１のインジケータの一部と視覚的にオーバーラップする、表示することと、
前記第２のトレーニング属性の前記現在値を表す第２のインジケータを表示することと、
を含む、表示することと、
前記トレーニング・セッションの間に、
前記１つ以上の活動センサのうちの少なくとも一部から更新された活動データを受信することと、
前記第１のトレーニング属性の前記現在値と、前記第２のトレーニング属性の前記現在値とを、前記更新された活動データに基づいて更新することと、
前記第１のトレーニング属性の前記ゴール値に対する、前記第１のトレーニング属性の前記更新された現在値に基づいて、前記第１のインジケータの前記表示を更新することと、
前記第２のトレーニング属性の前記更新された現在値に基づいて、前記第２のインジケータの前記表示を更新することと、
を含む、コンピュータにより実行される方法。
【請求項２】
前記行われるトレーニングの種類の前記識別を受信することが、
複数の種類のトレーニングのリストを表示することと、
前記複数の種類のトレーニングの前記表示されたリストから、前記行われるトレーニングの種類の選択を受信することと、
を含む、請求項１に記載のコンピュータにより実行される方法。
【請求項３】
前記複数の種類のトレーニングの前記リストが、前記複数の種類のトレーニングを行う頻度に基づいて順位付けされている、請求項２に記載のコンピュータにより実行される方法。
【請求項４】
前記複数の種類のトレーニングの前記リストが、前記複数の種類のトレーニングを行ってからの時間に基づいて順位付けされている、請求項２に記載のコンピュータにより実行される方法。
【請求項５】
前記複数の種類のトレーニングの前記リストが、トレーニングのそれぞれの種類に関連付けられた、選択可能なオブジェクトを含む、請求項２から４のいずれか一項に記載のコンピュータにより実行される方法。
【請求項６】
前記選択可能なオブジェクトのそれぞれのサイズが同じである、請求項５に記載のコンピュータにより実行される方法。
【請求項７】
直近に行われたトレーニングの種類に関連付けられた選択可能なオブジェクトのサイズが、前記複数の種類のトレーニングの他の種類のトレーニングに関連付けられた選択可能なオブジェクトのサイズより大きい、請求項５に記載のコンピュータにより実行される方法。
【請求項８】
最も頻繁に行われるトレーニングの種類に関連付けられた選択可能なオブジェクトのサイズが、前記複数の種類のトレーニングの他の種類のトレーニングに関連付けられた選択可能なオブジェクトのサイズより大きい、請求項５に記載のコンピュータにより実行される方法。
【請求項９】
前記１つ以上の活動センサが、ＧＰＳセンサ、加速度計、方向センサ、ジャイロスコープ、タイマ、生体センサ、及び動きセンサのうちの１つ以上を含む、請求項１から８のいずれか一項に記載のコンピュータにより実行される方法。
【請求項１０】
前記トレーニングの種類に対する前記ゴールを受信することが、
前記第１のトレーニング属性に関連付けられた調整可能な値を表示することと、
前記調整可能な値の選択を受信することと、
前記第１のトレーニング属性に対する前記ゴール値を、前記調整可能な値に等しくなるように設定することと、
を含む、請求項１から９のいずれか一項に記載のコンピュータにより実行される方法。
【請求項１１】
前記トレーニングの種類に対する前記ゴールを受信することが、
前記第１のトレーニング属性に関連付けられた複数の値のリストを表示することと、
前記複数の値の、ある値の選択を受信することと、
前記第１のトレーニング属性に対する前記ゴール値を、前記複数の値の前記選択されたある値に等しくなるように設定することと、
を含む、請求項１から１０のいずれか一項に記載のコンピュータにより実行される方法。
【請求項１２】
前記トレーニングの種類が、ランニング、ウォーキング、サイクリング、ボート漕ぎ運動、ヨガ、ダンシング、クライミング、水泳、又はクロストレーニングを含む、請求項１から１１のいずれか一項に記載のコンピュータにより実行される方法。
【請求項１３】
前記複数のトレーニング属性が、持続時間、ペース、距離、又は消費したカロリーの数を含む、請求項１から１２のいずれか一項に記載のコンピュータにより実行される方法。
【請求項１４】
前記第１のインジケータが、前記第１のトレーニング属性の前記現在値を表す第１の部分及び前記第１のトレーニング属性の前記現在値と前記第１のトレーニング属性に対する前記ゴール値との間の差異を表す第２の部分を含む、請求項１から１３のいずれか一項に記載のコンピュータにより実行される方法。
【請求項１５】
前記第１のトレーニング属性が、前記第２のトレーニング属性とは異なる、請求項１から１４のいずれか一項に記載のコンピュータにより実行される方法。
【請求項１６】
前記第１のトレーニング属性が、前記第２のトレーニング属性と同じである、請求項１から１４のいずれか一項に記載のコンピュータにより実行される方法。
【請求項１７】
時間インジケータを表示することを更に含む、請求項１から１６のいずれか一項に記載のコンピュータにより実行される方法。
【請求項１８】
前記時間インジケータが現在時刻を表す、請求項１７に記載のコンピュータにより実行される方法。
【請求項１９】
前記時間インジケータが、前記トレーニングの種類に関連付けられた持続時間又はペースを表す、請求項１７に記載のコンピュータにより実行される方法。
【請求項２０】
前記時間インジケータの選択を受信したことに応じて、前記時間インジケータの前記表示を更新して、現在時刻以外の時間を表すことを更に含む、請求項１７から１９のいずれか一項に記載のコンピュータにより実行される方法。
【請求項２１】
前記第１のインジケータが、前記第１のトレーニング属性に関連付けられた第１の色にて表示され、前記第２のインジケータが、前記第２のトレーニング属性に関連付けられた第２の色にて表示される、請求項１から２０のいずれか一項に記載のコンピュータにより実行される方法。
【請求項２２】
前記第２のインジケータを変更する要求を受信したことに応じて、前記第２のインジケータの前記表示を更新して、前記複数のトレーニング属性の第３のトレーニング属性を表すことを更に含む、請求項１から２１のいずれか一項に記載のコンピュータにより実行される方法。
【請求項２３】
以前のトレーニングに関連付けられたペースを表すリファレンスインジケータを表示することを更に含む、請求項１から２２のいずれか一項に記載のコンピュータにより実行される方法。
【請求項２４】
所定の基準を満たす前記複数のトレーニング属性のうちの１つ以上の現在値に応じて、通知を表示することを更に含む、請求項１から２３のいずれか一項に記載のコンピュータにより実行される方法。
【請求項２５】
前記１つ以上の活動センサの前記少なくとも一部を、前記行われるトレーニングの種類の前記受信した識別に基づいてアクティブにすることを更に含む、請求項１から２４のいずれか一項に記載のコンピュータにより実行される方法。
【請求項２６】
前記トレーニング・セッションの中断を要求するユーザ入力を受信することと、
前記トレーニング・セッションの中断を要求するユーザ入力の受信に応じて、前記トレーニング・セッションを中断することと、
を更に含み、
前記トレーニング・セッションが中断されている間、前記１つ以上の活動センサの少なくとも一部から受信した活動データに基づく、前記第１のトレーニング属性の前記現在値、及び、前記第２のトレーニング属性の前記現在値の更新を停止する、請求項１から２４のいずれか一項に記載のコンピュータにより実行される方法。
【請求項２７】
前記複数のトレーニング属性に関連付けられた情報を含むサマリインタフェースを表示することを更に含む、請求項１から２６のいずれか一項に記載のコンピュータにより実行される方法。
【請求項２８】
前記複数のトレーニング属性のうちの１つ以上が所定の基準を満たすか否かを判定することと、
前記複数のトレーニング属性のうちの前記１つ以上が前記所定の基準を満たすと判定したことに応じて、リワードを表示することと、
を更に含む、請求項１から２７のいずれか一項に記載のコンピュータにより実行される方法。
【請求項２９】
前記リワードを共有する要求を受信することと、
潜在的な受領者のリストを表示することと、
前記潜在的な受領者のリストから、前記潜在的な受領者のリストからのある受領者の選択を受信することと、
前記リワードを前記選択されたある受領者へ送信することと、
を更に含む、請求項２８に記載のコンピュータにより実行される方法。
【請求項３０】
前記潜在的な受領者のリストの前記表示が、前記潜在的な受領者のそれぞれの画像を含む、請求項２９に記載のコンピュータにより実行される方法。
【請求項３１】
コンピュータに、請求項１から３０のいずれか一項に記載の方法を実行させる命令群を含む、コンピュータプログラム。
【請求項３２】
電子デバイスであって、
１つ以上のプロセッサと、
メモリと、
前記メモリに記憶された１つ以上のプログラムと、
を備え、前記１つ以上のプログラムは、前記１つ以上のプロセッサにより実行されると前記電子デバイスに請求項１から３０のいずれか一項に記載の方法を実行させる命令群を含む、電子デバイス。
【請求項３３】
請求項１から３０のいずれか一項に記載の方法を実行するための手段を含むデバイス。